(57)【要約】      （修正有）【課題】削減された記録紙の具体的な削減数を把握できる画像処理装置を提供する。【解決手段】画像処理装置としての印刷装置は、削除文書一覧画面８００を操作部に表示する。削除文書一覧画面８００は、印刷せずに削除された文書の数８０１、節約された記録紙枚数８０２、印刷せずに削除したユーザ数８０３、文書リスト８０４、及び閉じるボタン８０５を表示し、印刷せずに削除された文書の数８０１は、印刷装置が受信した印刷データのうち印刷することなく印刷装置から削除された該印刷データの数を示し、且つ文書リスト８０４に示し、節約された記録紙枚数８０２は、文書リスト８０４に含まれる文書の記録紙枚数を積算した数を示し、印刷せずに削除したユーザ数８０３は、文書リスト８０４のユーザ名に表示されているユーザ数であって重複するユーザ名は１人としてカウントしたときの正味のユーザの数を示す。【選択図】図１１
2015157364.tif 000002
【特許請求の範囲】
【請求項１】
印刷データを蓄積する蓄積手段と、
前記蓄積された印刷データを削除する削除手段と、
前記蓄積された印刷データに対する操作履歴を格納する格納手段とを有し、
前記削除手段によって削除された印刷データに対応する操作履歴は、未印刷又は印刷済みのいずれか一方を示す記録を含むことを特徴とする画像処理装置。
【請求項２】
前記操作履歴は、少なくとも前記印刷データの印刷に必要な記録紙枚数に関する情報を含むことを特徴とする請求項１記載の画像処理装置。
【請求項３】
前記印刷データを印刷条件に基づいて印刷する印刷手段と、
前記印刷条件を変更する変更手段と、
前記印刷条件の変更によって節約された記録紙枚数を算出する算出手段とを更に有することを特徴とする請求項２記載の画像処理装置。
【請求項４】
前記記録紙枚数は、片面印刷の場合はページ数を割り付け数で除した値に印刷部数を乗じることによって得られ、両面印刷の場合はページ数を割り付け数及び２で除した値に印刷部数を乗じることによって得られることを特徴とする請求項２又は３に記載の画像処理装置。
【請求項５】
前記ページ数を割り付け数で除した値又は前記ページ数を割り付け数及び２で除した値が少数で表される場合は少数点以下を切り上げた値を用いることを特徴とする請求項４記載の画像処理装置。
【請求項６】
前記未印刷のフラグを含む操作履歴に対応する印刷データの印刷に必要な記録紙枚数の積算した値を表示する表示手段を更に有する請求項１乃至５のいずれか１項に記載の画像処理装置。
【請求項７】
印刷データを蓄積する蓄積ステップと、
前記蓄積された印刷データを削除する削除ステップと、
前記蓄積された印刷データに対する操作履歴を格納する格納ステップとを有し、
前記削除手段によって削除された印刷データに対応する操作履歴は、未印刷又は印刷済みのいずれか一方を示す記録を含むことを特徴とする画像処理装置の制御方法。
【請求項８】
画像処理装置の制御方法をコンピュータに実行させるプログラムであって、
前記画像処理装置の制御方法は、
印刷データを蓄積する蓄積ステップと、
前記蓄積された印刷データを削除する削除ステップと、
前記蓄積された印刷データに対する操作履歴を格納する格納ステップとを有し、
前記削除手段によって削除された印刷データに対応する操作履歴は、未印刷又は印刷済みのいずれか一方を示す記録を含むことを特徴とするプログラム。
【請求項９】
請求項１記載の画像処理装置と、前記画像処理装置と接続されている情報処理装置とを備える画像処理システムであって、
前記画像処理装置の操作履歴を前記情報処理装置を介して格納することを特徴とする画像処理システム。
【発明の詳細な説明】
【技術分野】
【０００１】
本発明は、画像処理装置及びその制御方法、プログラム、並びに画像処理システムに関し、特に、無駄な印刷の削減効果を明確に確認できる画像処理装置及びその制御方法、プログラム、並びに画像処理システムに関する。
【背景技術】
【０００２】
近年、印刷時に使用される記録紙に対するユーザの節約意識が定着しており、記録紙の節約効果を把握したいというユーザのニーズがある。記録紙を節約する方法として、例えば、両面印刷や割り付け印刷に加えて留め置き印刷が活用されている。留め置き印刷により、ミス印刷や印刷後に誰も回収せずに廃棄される放置印刷を抑制でき、無駄な記録紙を効果的に削減できる。
【０００３】
その他にも、同一の送信元から受信された同一のファイル名の印刷データについて繰返し行われる無駄な印刷や設定されている印刷条件を修正する度に行われる無駄な印刷を削減するために、先に受信され且つ印刷された印刷データの内容と後から受信された印刷データ内容がどの程度一致しているかを示す一致比率に基づいて無駄な印刷を行わない方法を実行する画像形成装置がある（例えば、特許文献１参照）。
【先行技術文献】
【特許文献】
【０００４】
【特許文献１】特開２００９−１４８９０９号公報
【発明の概要】
【発明が解決しようとする課題】
【０００５】
しかしながら、上記の記録紙を節約する方法のいずれも、記録紙の節約はできても無駄な印刷の削減効果を確認することはできていない。特に、印刷装置が一度印刷データを受信したにも関わらず印刷しなかった場合や印刷条件の設定変更を行った場合における設定変更前の印刷データを印刷しなかった場合に、削減された記録紙の削減数を把握できていなかった。
【０００６】
本発明の目的は、削減された記録紙の削減数を具体的に把握できる画像処理装置及びその制御方法、プログラム、並びに画像処理システムを提供することにある。
【課題を解決するための手段】
【０００７】
上記目的を達成するために、本発明の画像処理装置は、印刷データを蓄積する蓄積手段と、前記蓄積された印刷データを削除する削除手段と、前記蓄積された印刷データに対する操作履歴を格納する格納手段とを有し、前記削除手段によって削除された印刷データに対応する操作履歴は、未印刷又は印刷済みのいずれか一方を示す記録を含むことを特徴とする。
【発明の効果】
【０００８】
本発明によれば、削減された記録紙の削減数を具体的に把握できる。
【図面の簡単な説明】
【０００９】
【図１】本発明の実施の形態に係る画像処理装置としての印刷装置を有する画像処理システムの構成を概略的に示すブロック図である。
【図２】図１における印刷装置の内部構成を概略的に示すブロック図である。
【図３】図２の印刷装置によって実行されるアプリケーションプログラムのソフトウエアの構成を概略的に示すブロック図である。
【図４】図２における操作部に表示される留め置き印刷画面を説明するのに用いられる図である。
【図５】図３における履歴情報格納部に格納された履歴情報に基づいて管理される印刷装置の操作履歴の管理構造を説明するのに用いられる図である。
【図６】図５における履歴管理表に格納されている操作履歴表を説明するのに用いられる図である。
【図７】図５における履歴管理表に格納されている操作履歴表を説明するのに用いられる図である。
【図８】図１におけるＰＣに表示される履歴管理画面を説明するのに用いられる図である。
【図９】図８における履歴表示ボタンを押下したときに表示される操作履歴一覧画面を説明するのに用いられる図である。
【図１０】図８における履歴保存ボタンを押下したときに作成されるカンマ区切りファイル形式の履歴一覧ファイルを説明するのに用いられる図である。
【図１１】図８における印刷せずに削除した文書の一覧を表示する削除文書一覧表示ボタンを押下したときに表示される削除文書一覧画面を説明するのに用いられる図である。
【図１２】図８における印刷設定変更後に印刷した文書の一覧を表示する文書一覧表示ボタンを押下したときに表示される文書一覧画面を説明するのに用いられる図である。
【図１３】図１におけるＰＣのプリンタドライバから印刷装置が受信する印刷データ群を説明するのに用いられる図である。
【図１４】図１における印刷装置によって実行される印刷データ入稿時の操作履歴格納処理の手順を示すフローチャートである。
【図１５】図４の留め置き印刷画面における印刷開始ボタンを押下することによって実行される留め置き印刷文書の印刷処理の手順を示すフローチャートである。
【図１６】図１５のステップＳ１５１６で実行される印刷データ削除処理を示すフローチャートである。
【発明を実施するための形態】
【００１０】
以下、本発明の実施の形態を図面を参照しながら詳述する。
【００１１】
図１は、本発明の実施の形態に係る画像処理装置としての印刷装置１０１を有する画像処理システムの構成を概略的に示すブロック図である。
【００１２】
図１の画像処理システムは、ＬＡＮ１０５を介して互いに接続された印刷装置１０１及び情報処理装置としてのＰＣ１０２によって構成される。
【００１３】
印刷装置１０１はＰＣ１０２から送信された印刷データを印刷する。ＰＣ１０２は、例えば、文書を印刷する機能を持つアプリケーションとプリンタドライバを有し、ユーザは印刷装置１０１への印刷指示をプリンタドライバを介して行う。また、ＰＣ１０２は、ウェブブラウザを介して印刷装置１０１のウェブアプリケーションを実行できる。
【００１４】
図２は、図１における印刷装置１０１の内部構成を概略的に示すブロック図である。
【００１５】
図２において、印刷装置１０１は、コントローラユニット２００、操作部２１２、及びプリンタ２９５を有する。
【００１６】
コントローラユニット２００は、ＣＰＵ２０１、ＲＡＭ２０２、ＨＤＤ２０４、操作部Ｉ／Ｆ２０６、及びネットワークＩ／Ｆ２１０を有し、これらは、システムバス２０７を介して互いに接続されている。また、コントローラユニット２００は、デバイスＩ／Ｆ２２０、画像回転部２３０、画像圧縮部２４０、ＲＩＰ２６０、及びプリンタ画像処理部２９０を有し、これらは、画像バス２０８を介して互いに接続されている。
【００１７】
システムバス２０７と画像バス２０８はバスブリッジとしてのイメージバスＩ／Ｆ２０５を介して互いに接続されている。画像バス２０８は、画像データを高速で転送することができ、ＰＣＩバス又はＩＥＥＥ１３９４から構成される。
【００１８】
操作部Ｉ／Ｆ２０６及びデバイスＩ／Ｆ２２０には、夫々操作部２１２及びプリンタ２９５が接続されている。ネットワークＩ／Ｆ２１０にはＬＡＮ１０５が接続されている。
【００１９】
コントローラユニット２００は印刷データやデバイス情報等の入出力の制御を行う。ＣＰＵ２０１は、ＨＤＤ２０４に格納されているブートプログラムによってオペレーションシステムを起動すると共に、当該オペレーションシステム上でＨＤＤ２０４に格納されているアプリケーションプログラムを実行する。
【００２０】
ＲＡＭ２０２はＣＰＵ２０１の作業領域であると共に画像データを一時的に格納する。ＨＤＤ２０４は、上述したブートプログラム及びアプリケーションプログラムの他に印刷データ、画像データ、履歴情報、ユーザ情報、及び装置設定情報を格納する。ＨＤＤ２０４の代わりにソリッドステートドライブを用いてもよい。操作部２１２はタッチパネル及び複数のハードウエアキーを有する。
【００２１】
デバイスＩ／Ｆ２２０は画像データの同期系／非同期系の変換を行う。画像回転部２３０は画像データの回転を行う。画像圧縮部２４０は、多値画像データのＪＰＥＧ圧縮伸長処理又は２値画像データのＪＢＩＧ圧縮伸長処理、ＭＭＲ圧縮伸長処理、又はＭＨ圧縮伸長処理を行う。ＲＩＰ２６０はページ記述言語（ＰＤＬ）で記述されたＰＤＬコードをビットマップイメージに展開するプロセッサである。プリンタ画像処理部２９０は印刷出力画像データに対してプリンタ２９５の補正及び解像度変換等を行う。プリンタ２９５は画像出力デバイスである。
【００２２】
図３は、図２の印刷装置１０１によって実行されるアプリケーションプログラムのソフトウエア３００の構成を概略的に示すブロック図である。
【００２３】
アプリケーションプログラムのソフトウエア３００は、図２の印刷装置１０１におけるＣＰＵ２０１によって実行される。
【００２４】
ソフトウエア３００は、操作部アプリケーション３０１、印刷処理部３０４、データ管理部３１０、デバイス制御部３３１、プリンタ制御部３３３、及びネットワーク制御部３３５を備える。
【００２５】
操作部アプリケーション３０１は、主制御部３１１、印刷制御部３１５、及びウェブユーザインターフェース制御部３１６を備える。主制御部３１１は、操作部２１２を介して行われる情報の入出力を制御する。印刷制御部３１５は、印刷データを印刷装置１０１内のＨＤＤ２０４に蓄積する蓄積処理や印刷データを印刷装置１０１で印刷する印刷処理を制御する。ウェブユーザインターフェース制御部３１６は、ネットワーク制御部３３５を経由してＬＡＮ１０５で接続されたＰＣ１０２で動作しているウェブブラウザへのウェブページの送信及びウェブページの操作情報やファイルの受信を制御する。ウェブページは、例えば、ＨＴＭＬやJavascript(登録商標）等によって構成され、ＰＣやスマートフォン、又はタブレット端末に搭載されているウェブブラウザに表示される。デバイス制御部３３１は、プリンタ制御部３３３を利用してプリンタ２９５を制御する。
【００２６】
印刷処理部３０４は、印刷データ処理部３４１、画像処理部３４２、及びファイル変換処理部３４３を備える。印刷データ処理部３４１は、ＲＩＰ２０６を制御して印刷データをＰＤＬコードからビットマップイメージへ変換すると共に、画像回転部２３０及びプリンタ画像処理部２９０を制御して画像データを処理する。
【００２７】
画像処理部３４２は、フルカラーの画像データの白黒画像、単色画像、又は２色画像等の画像データへの変換、及び画像データの拡大又は縮小を行うと共に、画像データの印刷データへの変換を行う。
【００２８】
ファイル変換処理部３４３は、ＰＤＦ（Portable Document Format）データやＸＰＳ（XML Paper Specification）データを画像データに変換する。
【００２９】
データ管理部３１０は、文書管理部３０５、書誌情報管理部３０６、ユーザ管理部３０７、履歴管理部３０８、装置設定管理部３０９、文書情報格納部３５１、書誌情報格納部３６１、ユーザ情報格納部３７１、履歴情報格納部３８１、及び装置設定情報格納部３９１を備える。
【００３０】
文書管理部３０５は、ＨＤＤ２０４に格納された画像データ等を用いた文書データの作成、変更、削除、又は閲覧及び作成された文書データを格納するフォルダの作成、変更、削除、又は閲覧並びに作成された文書データや当該文書データを格納するフォルダの属性情報の変更を行うと共に、該文書データを一時的に格納する。作成された文書データやフォルダは文書情報格納部３５１に格納されている。
【００３１】
書誌情報管理部３０６は、留め置き印刷のために一時的に格納されている文書データの書誌情報の作成、閲覧、変更、又は削除を行い、書誌情報は書誌情報格納部３６１に格納されている。ユーザ管理部３０７は、装置を利用するユーザに関するユーザデータの作成、閲覧、変更、又は削除を行い、ユーザデータはユーザ情報格納部３７１に格納されている。
【００３２】
履歴管理部３０８は、印刷装置１０１の操作履歴に関する履歴情報の作成、閲覧、又は削除を行い、履歴情報は履歴情報格納部３８１に格納されている。装置設定管理部３０９は、印刷装置１０１の操作に関する設定内容の閲覧及び変更ができ、当該設定内容は装置設定情報格納部３９１に格納されている。
【００３３】
図４は、図２における操作部２１２に表示される留め置き印刷画面４００を説明するのに用いられる図である。
【００３４】
図４の留め置き印刷画面４００は、ユーザ選択部４０１、文書リスト４０２、印刷設定ボタン４０３、画像表示ボタン４０４、文書削除ボタン４０５、印刷中止ボタン４０６、及び印刷開始ボタン４０７を備える。
【００３５】
ユーザ選択部４０１は、印刷装置１０１に印刷データを送信したユーザのリストをプルダウン形式で表示しており、例えば、「Ｕｓｅｒ１」を選択できる。文書リスト４０２は、ユーザ選択部４０１において選択された「Ｕｓｅｒ１」が印刷装置１０１に送信した印刷データの一覧であって、見出し４２１、文書データ４２２、及びスクロールキー４２５，４２６を含む。
【００３６】
見出し４２１は、選択マーク、日時、文書名／印刷設定、部数×ページ数、及び状況／ユーザ名を備える。選択マークは、文書リスト４０２に表示されている印刷データのうちユーザによって選択された印刷データに表示され、例えば、印刷データである文書データ４２２に「１」が表示されている。日時は、印刷装置１０１が各印刷データを受信した日時を表示している。文書名／印刷設定は、２段で記載され、上段に印刷データの名称である文書名を表示すると共に下段に記録紙サイズ、白黒／カラー印刷、片面／両面印刷、割り付け印刷に関する印刷条件の設定内容（印刷設定内容）を表示している。
【００３７】
部数×ページ数は、印刷する部数と１部あたりの印刷するページ数を表示する。状況／ユーザ名は、２段で記載され、上段に、例えば、留め置き印刷、印刷待機中、印刷中、又は印刷中止中等の印刷状況を表示すると共に下段にユーザ名を表示している。
【００３８】
スクロールキー４２５，４２６は文書リスト４０２に一度で表示できない文書が存在するときに使用される。操作部２１２がフリック操作に対応しているときは、フリック操作によってもスクロールすることができる。
【００３９】
印刷設定ボタン４０３は、文書リスト４０２で選択マークが付されている文書データ４２２の印刷条件を変更するときに押下される。印刷設定ボタン４０３が押下されると、印刷設定画面（図示せず）が表示される。
【００４０】
画像表示ボタン４０４は、文書リスト４０２で選択マークが付されている文書データ４２２の印刷プレビュー画面（図示せず）を表示するときに押下される。文書削除ボタン４０５は、文書リスト４０２で選択マークが付されている文書データ４２２の印刷方法が留め置き印刷であるときのみ押下でき、押下されると当該文書データ４２２が後述する図１６の印刷データ削除処理を実行することによって削除される。文書削除ボタン４０５が押下されたときは、対象の文書データ４２２を削除する前に当該文書データ４２２を削除するか否かを確認する確認画面（図示せず）を表示してもよい。
【００４１】
印刷中止ボタン４０６は、文書リスト４０２で選択マークが付されている文書データ４２２が印刷待機中又は印刷中であるときのみ押下でき、押下すると印刷待機中又は印刷中である文書データ４２２の印刷処理が中止される。印刷開始ボタン４０７は、文書リスト４０２で選択マークが付されている文書データ４２２の印刷方法が留め置き印刷であるときのみ押下でき、押下すると当該文書データ４２２の印刷を開始する。
【００４２】
図５は、図３における履歴情報格納部３８１に格納された履歴情報に基づいて管理される印刷装置１０１の操作履歴の管理構造を説明するのに用いられる図である。
【００４３】
図５における操作履歴情報１００１は、操作履歴を管理するために必要となる複数の項目で構成され、履歴管理表１００２には当該複数の項目の中から選択された項目によって構成される後述する図６の操作履歴表１１００及び後述する図７の操作履歴表１２００が格納され、履歴管理表１００２は履歴情報として履歴情報格納部３８１に格納される。なお、履歴管理表１００２が履歴情報格納部３８１に格納されるタイミングには、例えば、印刷データの入稿時、変更時、削除時、及び印刷時等がある。
【００４４】
操作履歴情報１００１は、例えば、「履歴識別子」、「操作種別」、「操作時刻」、「操作結果」、「ユーザ名」、「アクセス種別」、「文書識別番号」、「文書名」、「ページ記述言語種別」、「カラー設定」、「記録紙サイズ」、「記録紙枚数」、「片面／両面」、「ページ数」、「部数」、「１ページの面数」、「穴あけ設定」、「とじ設定」、「製本設定」、及び「印刷フラグ」の各項目を有する。
【００４５】
「履歴識別子」は操作履歴情報１００１を構成する複数の項目を特定するための識別子であり、「操作種別」は、「入稿」、「削除」、「印刷」、又は「印刷設定変更」等のユーザが印刷データを用いて行った操作内容であり、「操作時刻」は操作が行われた時刻である。「操作結果」は操作が行われた場合の結果であり、具体的には、操作が何のエラーも発生せずに完了した場合は「０」が記録され、操作中にエラーが発生した場合は失敗理由をコード化したエラーコードが記録される。
【００４６】
「ユーザ名」は操作を行ったユーザの名称であり、「アクセス種別」は操作元である。「アクセス種別」には、例えば、操作元が操作部２１２のときは「Control Panel」が、操作元がＰＣ１０２のプリンタドライバのときは「Printer Driver」が、操作元がプログラムによって実行されるシステムのときは「System」が記録される。「文書識別番号」は複数の文書データから或る文書データを特定するための番号を示し、「文書名」は印刷装置１０１が受信した印刷データの名称であり、「ページ記述言語種別」は印刷装置１０１に印刷を指示するために用いられたページ記述言語である。
【００４７】
「カラー設定」は、白黒、カラー、又は自動等の印刷カラー設定であり、「記録紙サイズ」は、Ａ４、Ｂ４、又はＡ３等の記録紙のサイズであり、「記録紙枚数」は、印刷条件に従って印刷したときに必要となる記録紙の枚数である。「片面／両面」は片面印刷及び両面印刷のいずれか一方であり、「ページ数」は印刷データが有するページ数であり、「部数」は印刷データを印刷する際の印刷部数であり、「１ページの面数」は記録紙の印刷面１ページあたりに印刷する印刷データのページ数（以下、「割り付け数」という）である。
【００４８】
「穴あけ設定」は、穴あけ位置や穴の数を含み、穴あけ位置には、「なし」、「短辺」、「長辺」等を、穴の数には、「なし」、「２」、「３」、「４」等を夫々設定できる。「とじ設定」は、とじ位置やとじ数を含み、とじ位置には、「なし」、「短辺」、「長辺」、「左上」、「右上」、「右下」、「左下」、「中とじ」等を設定でき、とじ数には、「なし」、「シングル」、「ダブル」等を設定できる。「製本設定」は製本するか否かの記録である。「印刷フラグ」は、印刷済みか否かの記録である。
【００４９】
本実施の形態では、「操作種別」の項目に「削除」が表示されると共に、「印刷フラグ」の項目に「未印刷」が表示されている印刷データは印刷する必要のない印刷データであり、当該印刷データの印刷によって無駄となる記録紙が生じる。一方、「操作種別」の項目に「削除」が表示されると共に、「印刷フラグ」の項目に「印刷済み」が表示されている印刷データは印刷する必要のあった印刷データであり、当該印刷データの印刷によって無駄となる記録紙は生じない。
【００５０】
図６は、図５における履歴管理表１００２に格納されている操作履歴表１１００を説明するのに用いられる図である。
【００５１】
図６の操作履歴表１１００は、操作履歴記録１１０１，１１０２を含む複数の操作履歴記録からなる。操作履歴記録１１０１は「操作種別」が「削除」であると共に「印刷フラグ」が「未印刷」であり、操作履歴記録１１０２は「操作種別」が「削除」であると共に「印刷フラグ」が「印刷済み」である。
【００５２】
操作履歴記録１１０１は、印刷が実行されずに４０枚（８ページ×５部）の記録紙が使用されることなく、対応する文書データが削除されたことを示す。すなわち、操作履歴記録１１０１では、不必要と判断されて削除される文書データの印刷のために記録紙が全く使用されなかったことになるため、「印刷フラグ」が「印刷済み」である場合と比較して４０枚の記録紙の無駄な使用を回避し、結果として４０枚の記録紙が節約（削減）されたことになる。
【００５３】
一方、操作履歴記録１１０２は、印刷が実行されて２０枚（４ページ×５部）の記録紙が使用された後、対応する文書データが削除されたことを示す。すなわち、操作履歴記録１１０２では、印刷する必要のあった文書データが印刷された後に削除されているので、印刷に使用した２０枚の記録紙は無駄な記録紙に該当しない。
【００５４】
図７は、図５における履歴管理表１００２に格納されている操作履歴表１２００を説明するのに用いられる図である。
【００５５】
図７の履歴管理表１２００は、操作履歴記録１２０１〜１２０３を含む複数の操作履歴記録からなる。操作履歴記録１２０１は文書データに対応する印刷データが印刷装置１０１に入稿された時の操作履歴であり、操作履歴記録１２０２は入稿された印刷データの印刷設定を変更したときの操作履歴であり、操作履歴記録１２０３は、印刷設定変更後の印刷データを印刷したときの操作履歴である。
【００５６】
操作履歴記録１２０１ではページ数が「２」である一方、操作履歴記録１２０２ではページ数が「１」へ変更され、操作履歴記録１２０３ではページ数が「１」のまま維持される。すなわち、操作履歴記録１２０１〜１２０３に対応する一連の操作により、ページ数が１ほど減るため、結果として１枚の記録紙が節約されたことになる。
【００５７】
図８は、図１におけるＰＣ１０２に表示される履歴管理画面５００を説明するのに用いられる図である。
【００５８】
図８の履歴管理画面５００は、ユーザが履歴管理を行うときに表示され、例えば、ユーザがＰＣ１０２で動作しているウェブブラウザを介して履歴管理画面５００を構成するウェブページのＵＲＬにアクセスすることによって表示される。
【００５９】
図８の履歴管理画面５００には、履歴を表示する履歴表示ボタン５０１、履歴を保存する履歴保存ボタン５０２、印刷せずに削除した文書データの一覧を表示する削除文書一覧表示ボタン５０３、印刷設定変更後印刷した文書データの一覧を表示する設定変更文書一覧表示ボタン５０４、及び非表示ボタン５０５が表示されている。
【００６０】
履歴表示ボタン５０１を押下すると、ユーザによる印刷装置１０１の操作履歴の一覧である操作履歴一覧画面６００（図９）が表示される。
【００６１】
図９の操作履歴一覧画面６００には、操作履歴リスト６０１、操作履歴を保存する操作履歴保存ボタン６０２、及び非表示ボタン６０３が表示されている。
【００６２】
操作履歴リスト６０１には、図５の操作履歴情報１００１の複数の項目うち、「操作種別」、「操作時刻」、「操作結果」、「ユーザ名」、「アクセス種別」、「文書名」、「部数」、「ページ数」、「片面／両面」、「１ページの面数」、及び「印刷フラグ」が表示されている。
【００６３】
操作履歴を保存する操作履歴保存ボタン６０２が押下されると、後述する履歴保存ボタン５０２を押下したときの作用と同様に、ユーザによる印刷装置１０１の操作履歴がユーザに指定された保存先に格納される。非表示ボタン６０３が押下されると操作履歴一覧画面６００が閉じられる。
【００６４】
図８に戻り、履歴を保存する履歴保存ボタン５０２を押下すると、ウェブブラウザを介して提供されるファイル保存画面（図示せず）が表示され、当該ファイル保存画面においてユーザが指定した保存先に印刷装置１０１の操作履歴を履歴一覧ファイルとして格納する。履歴一覧ファイルは、例えば、カンマ区切りファイル（ＣＳＶファイル）（図１０）であり、履歴情報格納部３８１に格納されている全ての履歴情報から作成される。削除文書一覧表示ボタン５０３が押下されると、印刷せずに削除した文書データの一覧を表示する削除文書一覧画面８００（図１１）が表示される。
【００６５】
図１１の削除文書一覧画面８００は、履歴一覧ファイルにおける「操作種別」の項目が「削除」であると共に「印刷フラグ」の項目が「未印刷」である文書データに関する印刷データの一覧を表示する。
【００６６】
削除文書一覧画面８００には、印刷せずに削除された文書の数８０１、節約された記録紙枚数８０２、印刷せずに文書を削除したユーザ数８０３、文書リスト８０４、及び非表示ボタン８０５が表示されている。
【００６７】
印刷せずに削除された文書の数８０１は文書リスト８０４に表示されている文書データの数であり、ここでは文書リスト８０４に２０文書データが含まれていることを示す。節約された記録紙枚数８０２は、文書リスト８０４に含まれる文書データを仮に印刷したときに使用される記録紙の枚数であり、文書リスト８０４における後述の項目「記録紙枚数」の列に記録されている数字を積算した値である。ここでは１５３枚であることを示し、当該１５３枚が節約された記録紙の枚数に該当する。
【００６８】
印刷せずに文書を削除したユーザ数８０３は文書リスト８０４のユーザ名に表示されているユーザ数であって重複するユーザ名は１名としてカウントしたときの正味のユーザの数である。ここでは、印刷せずに文書を削除したユーザ数８０３は６人であることを示し、当該６人が記録紙の節約に貢献した人数に該当する。
【００６９】
文書リスト８０４には、図５の操作履歴情報１００１の複数の項目のうち、例えば、「ユーザ名」、「アクセス種別」、「部数」、「ページ数」、「片面／両面」、「１ページの面数」、及び「記録紙枚数」が表示されている。
【００７０】
項目「記録紙枚数」には各文書データの部数にページ数を乗じて算出される値が記録されるが、片面印刷の場合、項目「記録紙枚数」には、ページ数を割り付け数で除した値に部数を乗じて算出される値が記録される。ページ数を割り付け数で除した値が整数でないときは、少数点以下を切り上げた値が用いられる。両面印刷の場合、「記録紙枚数」の項目には、ページ数を割り付け数及び２で除した値に部数を乗じて算出される値が記録される。ページ数を割り付け数及び２で除した値が整数でないときは、少数点以下を切り上げた値が用いられる。非表示ボタン８０５が押下されると削除文書一覧画面面８００が閉じられる。
【００７１】
図８に戻り、設定変更文書一覧表示ボタン５０４を押下すると、印刷設定が変更されて印刷された文書データの一覧を表示する文書一覧画面９００（図１２）が表示される。
【００７２】
図１２の文書一覧画面９００は、図５の操作履歴情報１００１の複数の項目のうち、「操作種別」の項目が「印刷設定変更」である文書データに関する印刷データの一覧を表示する。
【００７３】
図１２の文書一覧画面９００には、設定変更して印刷した文書の数９０１、設定変更により節約された記録紙枚数９０２、設定変更して文書を印刷したユーザ数９０３、文書リスト９０４、及び非表示ボタン９０５が表示されている。
【００７４】
設定変更して印刷した文書の数９０１は、文書リスト９０４に表示されている文書データの数であり、ここでは文書リスト９０４に１０文書データが含まれていることを示す。設定変更により節約された記録紙枚数９０２は、文書リスト９０４に含まれる文書データのうち、後述の項目「入稿時記録紙枚数」及び後述の項目「印刷時記録紙枚数」の数が異なる文書データにおいて、項目「入稿時記録紙枚数」の列に記録されている数字を積算した値である。ここで、「入稿時記録紙枚数」は設定変更前の文書データを印刷するために使用される記録紙の枚数に該当し、設定変更前の印刷データは印刷する必要のない文書データであるので、項目「入稿時記録紙枚数」の列に記録されている数字を積算した値は印刷設定の変更によって節約された記録紙枚数に該当する。図１２では、設定変更により節約された記録紙枚数９０２が１２６枚である。
【００７５】
設定変更して文書を印刷したユーザ数９０３は、文書リスト９０４のユーザ名に表示されているユーザ数であって重複するユーザ名は１名としてカウントしたときの正味のユーザの数である。ここでは、設定変更して文書を印刷したユーザ数９０３は６人であることを示し、当該６人が記録紙の節約に貢献した人数といえる。
【００７６】
文書リスト９０４には図５の操作履歴情報１００１の複数の項目のうち、例えば、「ユーザ名」及び「文書名」を表示し、さらに、「入稿時記録紙枚数」及び「印刷時記録紙枚数」を表示している。「入稿時記録紙枚数」は印刷データが印刷装置１０１に入稿されたときの印刷設定に従って印刷データに対応する文書データが印刷されたときに使用される記録紙の枚数であり、「印刷時記録紙枚数」は印刷データの印刷設定が変更されて当該印刷データに対応する文書データが実際に印刷されたときに使用された記録紙の枚数である。非表示ボタン９０５を押下すると文書一覧画面９００が閉じられる。
【００７７】
図８に戻り、非表示ボタン５０５を押下すると履歴管理画面５００が閉じられる。
【００７８】
図１３は、図１におけるＰＣ１０２のプリンタドライバから印刷装置１０１が受信する印刷データ群１３００を説明するのに用いられる図である。
【００７９】
図１３の印刷データ群１３００は、ジョブ属性部１３０１及び印刷データ部１３０２から構成され、ジョブ属性部１３０１は書誌情報１３１０を有し、印刷データ部１３０２は印刷データ１３１２を有する。書誌情報１３１０は書誌情報テーブル１３１１に格納される。
【００８０】
書誌情報１３１０は、印刷データ１３１２に対して設定されている各種情報からなり、具体的には、「データ種別」、「留め置きフラグ」、「文書識別番号」、「文書名」、「ユーザ名」、「アクセス種別」、「操作時刻」、「操作結果」、「入稿元アドレス」、「ジョブ状況」、「ページ記述言語種別」、「カラー設定」、「記録紙サイズ」、「記録紙枚数」、「片面／両面」、「ページ数」、「部数」、「１ページの面数」、「穴あけ設定」、「とじ設定」、「製本設定」、「印刷フラグ」、「印刷後削除フラグ」、及び「印刷データ格納場所」に関する情報を有する。
【００８１】
「データ種別」はジョブ属性部１３０１に格納されている書誌情報１３１０の各項目を示し、「留め置きフラグ」は留め置き印刷によって印刷データ１３１２が印刷されるか否かを示し、「文書識別番号」は複数の文書データから或る文書データを特定するための番号を示す。「文書名」は印刷装置１０１が受信した印刷データの名称であり、「ユーザ名」は操作を行ったユーザの名称であり、「アクセス種別」は操作元である。「アクセス種別」には、例えば、操作元が操作部２１２のときは「Control Panel」が、操作元がＰＣ１０２のプリンタドライバのときは「Printer Driver」が、操作元がプログラムによって実行されるシステムのときは「System」が記録される。
【００８２】
「操作時刻」は操作が行われた時刻である。「操作結果」は操作が行われた場合の結果であり、具体的には、操作が何のエラーも発生せずに完了した場合は「０」が記録され、操作中にエラーが発生した場合は失敗理由をコード化したエラーコードが記録される。
【００８３】
「入稿元アドレス」は印刷データを送信したＰＣ１０２のネットワークアドレスである。「ジョブ状況」は印刷装置１０１が受信した印刷データの状況であり、具体的には、「印刷中」、「印刷待ち」、又は「印刷中止」が記録される。「ページ記述言語種別」は印刷装置１０１に印刷を指示するために用いられたページ記述言語であり、「カラー設定」は、白黒、カラー、又は自動等の印刷カラー設定であり、「記録紙サイズ」は、Ａ４、Ｂ４、又はＡ３等の記録紙のサイズであり、「記録紙枚数」は、印刷条件に従って印刷したときに必要となる記録紙の枚数である。「片面／両面」は片面印刷及び両面印刷のいずれか一方であり、「ページ数」は印刷データが有するページ数であり、「部数」は印刷データを印刷する際の印刷部数であり、「１ページの面数」は割り付け数である。
【００８４】
「穴あけ設定」は、穴あけ位置や穴の数を含み、穴あけ位置には、「なし」、「短辺」、「長辺」等を、穴の数には、「なし」、「２」、「３」、「４」等を夫々設定できる。「とじ設定」は、とじ位置やとじ数を含み、とじ位置には、「なし」、「短辺」、「長辺」、「左上」、「右上」、「右下」、「左下」、「中とじ」等を設定でき、とじ数には、「なし」、「シングル」、「ダブル」等を設定できる。
【００８５】
「製本設定」には製本するか否かを記録し、「印刷フラグ」には印刷済みか否かを記録し、「印刷後削除フラグ」は、印刷データの印刷が完了した後に当該印刷データを印刷装置１０１に残すか又は印刷装置１０１から削除するかを示す。「印刷データ格納場所」は、留め置く印刷データの印刷装置１０１における一時的な格納場所を示す。
【００８６】
印刷データ群１３００は、印刷データ部１３０２のみを有していてもよく、この場合、上記ジョブ属性部１３０１に格納されている印刷設定に関する書誌情報１３１０は印刷データ部１３０２に格納される。
【００８７】
書誌情報テーブル１３１１は、書誌情報格納部３６１に格納されており、全ての留め置き印刷に係る印刷データの書誌情報を管理する。なお、管理方法は、データベースによる管理や配列やリストによる管理が好ましい。
【００８８】
図１４は、図１における印刷装置１０１によって実行される印刷データ入稿時の操作履歴格納処理の手順を示すフローチャートである。
【００８９】
図１４の処理は印刷装置１０１のＣＰＵ２０１によって実行される。
【００９０】
図１４において、まず、印刷データの受信時に印刷装置１０１がいかなる印刷であっても留め置き印刷を実行する強制留め置きモードである（ステップＳ１４０１でＹＥＳ）とき、又は印刷装置１０１が強制留め置きモードではなく（ステップＳ１４０１でＮＯ）且つユーザによって留め置き印刷が指定されている（ステップＳ１４０５でＹＥＳ）ときは、印刷データがジョブ属性部１３０１を有するか否かを判別する（ステップＳ１４０２）。
【００９１】
ステップＳ１４０２の判別の結果、印刷データがジョブ属性部１３０１を有するときは、ジョブ属性部１３０１から印刷設定を読み出して書誌情報管理部３０６が書誌情報１３１０を作成し（ステップＳ１４０３）、印刷データ部１３０２を文書管理部３０５によって文書情報格納部３５１にファイルとして格納し、文書情報格納部３５１におけるファイルの格納場所を示すパス情報を書誌情報１３１０の印刷データ格納場所に記録する（ステップＳ１４０４）。このとき、書誌情報１３１０に記録される文書識別番号が確定し、書誌情報１３１０の「文書識別番号」に記録される。
【００９２】
次に、書誌情報管理部３０６によって作成した書誌情報１３１０を書誌情報テーブル１３１１に格納する（ステップＳ１４１０）と共に、書誌情報１３１０から印刷データ入稿時の操作履歴を作成し、履歴管理部３０８によって履歴管理表１００２に作成した操作履歴を格納し（ステップＳ１４１１）、本処理を終了する。印刷データ入稿時の操作履歴には、例えば、「操作種別」、「操作結果」、「アクセス種別」、及び「印刷フラグ」の夫々に「入稿」、「成功」、「PrinterDriver」、及び「未印刷」が設定される。
【００９３】
ステップＳ１４０２の判別の結果、印刷データがジョブ属性部１３０１を有していないときは、印刷データ部１３０２が印刷設定に関する書誌情報を有しているかの解析（以下、「印刷設定の解析」という）をすることができるか否かを判別する（ステップＳ１４０６）。
【００９４】
ステップＳ１４０６の判別の結果、印刷設定の解析ができるときは、解析した印刷設定を書誌情報テーブル１３１１に格納し（ステップＳ１４０７）、ステップＳ１４０４以降の処理を実行する。
【００９５】
一方、ステップＳ１４０６の判別の結果、印刷設定の解析ができないときは、書誌情報テーブル１３１１に解析できない旨を格納して（ステップＳ１４０８）、ステップＳ１４０４以降の処理を実行する。
【００９６】
なお、ステップＳ１４０６の判別は、例えば、文字の印字位置や文字種等に関する情報を有する「ページ記述言語種別」を解析することによって行われるため、印刷データ部１３０２が有する書誌情報の全ての項目を解析しなくてもよい。
【００９７】
印刷データの受信時に、印刷装置１０１が強制留め置きモードでなく（ステップＳ１４０１でＮＯ）且つユーザによって留め置き印刷が指定されていない（ステップＳ１４０５でＮＯ）ときは、印刷データを印刷して（ステップＳ１４０９）、本処理を終了する。
【００９８】
図１４の処理によれば、印刷装置１０１が強制留め置きモードである（ステップＳ１４０１でＹＥＳ）とき、又は強制留め置きモードではなく（ステップＳ１４０１でＮＯ）且つユーザによって留め置き印刷が指定されている（ステップＳ１４０５でＹＥＳ）ときは、書誌情報１３１０を書誌情報テーブル１３１１に格納する（ステップＳ１４１０）ので、全ての留め置き印刷に関する書誌情報１３１０を管理でき、且つ書誌情報１３１０に基づいて全ての留め置き印刷に関する印刷データ入稿時の操作履歴を把握することができる。
【００９９】
図１５は、図４の留め置き印刷画面４００における印刷開始ボタン４０７を押下することによって実行される留め置き印刷文書の印刷処理の手順を示すフローチャートである。
【０１００】
図１５の処理は印刷装置１０１のＣＰＵ２０１によって実行される。
【０１０１】
図１５において、文書リスト４０２において選択されている文書データ４２２の書誌情報１３１０及び印刷データ１３１２を取得し、さらに書誌情報１３１０から印刷設定を取得する（ステップＳ１５０１）と共に、書誌情報１３１０の「ジョブ状況」を印刷中として書誌情報テーブル１３１１を更新し、印刷データのデータ読み出し命令がされたか否かを判別する（ステップＳ１５０２）。
【０１０２】
データ読み出し命令は、データの格納場所、読み出しサイズ、及び読み出し開始位置に関する指示を含む。データの格納場所は、書誌情報１３１０の印刷データ格納場所に記録されているファイルのパス情報を示し、読み出しサイズは１回あたりに印刷装置１０１に送信する印刷データの容量であって予めプログラムによって指定されている容量を示し、読み出し開始位置は印刷データにおける読み出しサイズに対応した読み出しを始める位置を示す。
【０１０３】
ステップＳ１５０２の判別の結果、印刷データ１３１２のデータ読み出し命令がされたときは、データ読み出し命令に従って予めプログラムによって指定されている読み出しサイズに相当する印刷データ１３１２を読み出し（ステップＳ１５０３）、ＲＡＭ２０２の一時格納領域に格納する。このとき、全ての印刷データ１３１２を読み出すことができるときは、印刷データの読み出しが終了した旨を併せてＲＡＭ２０２に格納する。
【０１０４】
次いで、印刷データ処理部３４１を制御して読み出した印刷データをＰＤＬコードからビットマップイメージ（画像データ）に変換し、必要に応じて画像処理部３４２を制御してカラー変換処理及び拡大縮小処理等を行う（ステップＳ１５０４）。その後、デバイス制御部３３１を制御してビットマップイメージのデータをプリンタ制御部３３３に送信し（ステップＳ１５０５）、上述したＲＡＭ２０２に印刷データの読み出しが終了した旨が格納されているか否かに基づいて、印刷データの読み出しが終了したか否かを判別する（ステップＳ１５０６）。
【０１０５】
ステップＳ１５０６の判別の結果、印刷データの読み出しが終了したときは、直ちに、ステップＳ１５０２に戻り、印刷データの読み出しが終了していないときは、印刷データの読み出しを継続するデータ読み出し命令を指示した上で（ステップＳ１５０７）、ステップＳ１５０２に戻る。
【０１０６】
一方、ステップＳ１５０２の判別の結果、印刷データのデータ読み出し命令ではなく印刷命令がされたときは、読み出した印刷データを印刷してページ印刷終了情報を取得する（ステップＳ１５０８）。ページ印刷終了情報は、印刷結果、最終ページフラグ、及び最終部フラグを含む。印刷結果は印刷が成功したか否かを示し、最終ページフラグは印刷したページが読み出した印刷データにおける最終ページであることを示し、最終部フラグは印刷したページが読み出した印刷データにおける最終部であることを示す。
【０１０７】
次に、読み出した印刷データの印刷が正常に終了したか否かを判別する（ステップＳ１５０９）。当該判別は、ページ印刷終了情報の印刷結果が成功であるか失敗であるかに基づいて判別される。
【０１０８】
ステップＳ１５０９の判別の結果、読み出した印刷データの印刷が正常に終了したとき（ページ印刷終了情報の印刷結果が成功であるとき）（ステップＳ１５０９でＹＥＳ）は、印刷に使用された記録紙の枚数を計算して書誌情報１３１０の「記録紙枚数」に計算された記録紙の枚数を記録すると共に書誌情報１３１０の「印刷フラグ」を印刷済みとして書誌情報テーブル１３１１を更新し（ステップＳ１５１０）、印刷データにおける最終ページが印刷されているか否かを判別する（ステップＳ１５１１）。
【０１０９】
ステップＳ１５１１の判別の結果、印刷データにおける最終ページが印刷されていないとき（ステップＳ１５１１でＮＯ）は、ステップＳ１５０２に戻り、印刷データにおける最終ページが印刷されていれば（ステップＳ１５１１でＹＥＳ）、印刷終了時の印刷部数を計算し（ステップＳ１５１２）、設定された印刷部数の印刷が終了しているか否かを判別する（ステップＳ１５１３）。
【０１１０】
ステップＳ１５１１の判別の結果、設定された印刷部数の印刷が終了していないとき（ステップＳ１５１３でＮＯ）は、ステップＳ１５０２に戻り、設定された印刷部数の印刷が終了したとき（設定された印刷部数と計算された印刷終了時の印刷部数が一致したとき）（ステップＳ１５１３でＹＥＳ）は、書誌情報１３１０の印刷情報を用いて作成された操作履歴情報１００１を履歴管理表１００２に格納し（ステップＳ１５１４）、書誌情報１３１０の「印刷後削除フラグ」において印刷終了後の印刷データを削除することが示されているか否かを判別する（ステップＳ１５１５）。
【０１１１】
ステップＳ１５１５の判別の結果、印刷終了後の印刷データを削除することが示されているとき（ステップＳ１５１５でＹＥＳ）は、後述する図１６の印刷データ削除処理を実行して印刷データ１３１２を削除すると共に操作履歴情報１００１の「操作結果」に削除が成功した旨を記録して履歴管理表１００２に格納し（ステップＳ１５１６）、本処理を終了する。一方、印刷終了後の印刷データを削除することが示されていないとき（ステップＳ１５１５でＮＯ）は、後述する図１６の印刷データ削除処理を実行することなく、本処理を終了する。
【０１１２】
ステップＳ１５０９の判別の結果、読み出した印刷データの印刷が正常に終了していないとき（ページ印刷終了情報の印刷結果が失敗であるとき）（ステップＳ１５０９でＮＯ）は、印刷を失敗した理由であるエラーコードをページ印刷終了情報の結果に記録して（ステップＳ１５１７）、ステップＳ１５１４以降の処理を実行する。
【０１１３】
図１５の処理によれば、「記録紙枚数」の項目に印刷に使用された記録紙の枚数が記録されると共に「印刷フラグ」の項目に印刷済みと記録された書誌情報１３１０の印刷情報を用いて操作履歴情報１００１を作成し、作成された操作履歴情報１００１を履歴管理表１００２に格納する（ステップＳ１５１０〜Ｓ１５１４）。また、書誌情報１３１０の「印刷後削除フラグ」において印刷終了後の印刷データを削除することが示されているとき（ステップＳ１５１５でＹＥＳ）は、印刷データ１３１２を削除すると共に操作履歴情報１００１の「操作結果」に削除が成功した旨を記録して履歴管理表１００２に格納する（ステップＳ１５１６）。すなわち、履歴管理表１００２を参照することにより、印刷後に印刷データが削除された場合であっても、削除された印刷データの印刷に使用された記録紙の枚数を把握することができる。
【０１１４】
図１６は、図１５のステップＳ１５１６で実行される印刷データ削除処理を示すフローチャートである。
【０１１５】
図１６の処理は印刷装置１０１のＣＰＵ２０１によって実行される。なお、図１６の処理は、図１５のステップＳ１５１６だけでなく図４の文書削除ボタン４０５が押下されたときにも実行される。
【０１１６】
図１６において、ＲＡＭ２０２に操作履歴情報１００１を格納するための領域を確保し（ステップＳ１６０１）、操作履歴情報１００１の「操作種別」に「削除」を設定し（ステップＳ１６０２）、ユーザ管理部３０７を制御して操作パネル２１２を使用しているユーザのユーザ名を取得すると共に取得したユーザ名を操作履歴情報１００１の「ユーザ名」に設定し（ステップＳ１６０３）、書誌情報１３１０に設定されている「カラー設定」、「記録紙サイズ」、「記録紙枚数」、「ページ数」、「部数」、又は「印刷フラグ」等の印刷に関する印刷設定を取得して操作履歴情報１００１の対応する項目に設定し（ステップＳ１６０４）、文書管理部３０５を制御して文書リスト４０２で選択されている文書データ４２２に関する印刷データ１３１２を削除すると共に、書誌情報管理部３０６を制御して同文書の書誌情報１３１０を書誌情報テーブル１３１１から削除し（ステップＳ１６０５）、これらの削除が成功したか否かを判別する（ステップＳ１６０６）。
【０１１７】
ステップＳ１６０６の判別の結果、削除が成功したときは、操作履歴情報１００１の「操作結果」に成功を設定し（ステップＳ１６０７）、履歴管理部３０８を制御して操作履歴情報１００１を履歴管理表１００２に格納し（ステップＳ１６０８）、ＲＡＭ２０２に確保した領域を削除して（ステップＳ１６０９）、本処理を終了する。
【０１１８】
一方、ステップＳ１６０６の判別の結果、削除が失敗したときは、操作履歴情報１００１の結果に失敗の理由を示すエラーコードを記録して（ステップＳ１６１０）、ステップＳ１６０８以降の処理を実行する。
【０１１９】
図１６の処理によれば、操作履歴情報１００１の「操作種別」の項目に「削除」を設定すると共に「印刷フラグ」の項目に未印刷又は印刷済みのいずれか一方を設定して（ステップＳ１６０２〜Ｓ１６０４）文書リスト４０２で選択されている文書データ４２２に関する印刷データ１３１２を削除し（ステップＳ１６０５）、操作履歴情報１００１を履歴管理表１００２に格納する（ステップＳ１６０８）ので、履歴管理表１００２を参照することにより、削除された印刷データが印刷された後に削除されたか、又は印刷される前に削除されたかを判別することができる。さらに、操作履歴情報１００１の「記録紙枚数」等の項目にも印刷設定が反映される（ステップＳ１６０４）ので、削除された印刷データのうち、印刷された印刷データに使用された記録紙枚数を把握でき、印刷されなかった印刷データに使用するはずであった記録紙枚数を把握できる。
【０１２０】
また、印刷データを入稿したユーザのユーザ名に関する情報も操作履歴情報１００１として履歴管理表１００２に格納することができるので、記録紙の節約に対する意識が高いユーザを把握することができる。
【０１２１】
本発明は、上述した実施形態の機能を実現するソフトウエア（プログラム）をネットワーク又は各種記憶媒体を介してシステム或いは装置に供給し、そのシステム或いは装置のコンピュータ（又はＣＰＵやＭＰＵ等）がプログラムを読み出して実行する処理において、そのプログラム、及び該プログラムを格納するコンピュータ読み取り可能な記憶媒体によって構成されてもよい。
【符号の説明】
【０１２２】
１０１  印刷装置
１０２  ＰＣ
１０５  ＬＡＮ
８００  削除文書一覧画面
８０１  印刷せずに削除された文書の数
８０２  節約された記録紙枚数
９００  文書一覧画面
９０１  設定変更後印刷した文書の数
９０２  設定変更により節約された記録紙枚数
【図１】
2015157364.tif 000003
【図２】
2015157364.tif 000004
【図３】
2015157364.tif 000005
【図４】
2015157364.tif 000006
【図５】
2015157364.tif 000007
【図６】
2015157364.tif 000008
【図７】
2015157364.tif 000009
【図８】
2015157364.tif 000010
【図９】
2015157364.tif 000011
【図１０】
2015157364.tif 000012
【図１１】
2015157364.tif 000013
【図１２】
2015157364.tif 000014
【図１３】
2015157364.tif 000015
【図１４】
2015157364.tif 000016
【図１５】
2015157364.tif 000017
【図１６】
2015157364.tif 000018